(57)【要約】【課題】  より確実に既設の制御装置を新たな制御装置に取り替えることを可能にする。【解決手段】  制御装置１０、２０が載置される制御装置用架台１を、制御装置１０、２０の底面形状とほぼ同じ形状をした枠体で、かつ、該枠体を構成する各枠片２、２…に上方に開口し枠体の内外を貫通する凹部３、３、…を形成し、既設の制御装置１０に隣接しかつ仮架台２１を介して底面下方に空間を形成するように新設の制御装置２０を仮設置し、制御装置用架台１の凹部３を通して制御装置用架台１内の設置床下のケーブル１４を制御装置用架台１外に導出し、前記制御装置用架台１外に導出したケーブル１４を仮設置した新設制御装置２０の底面下方の空間を通して新設の制御装置２０に接続して、既設の制御装置１０を撤去した後、新設の制御装置２０を前記制御装置用架台１に載置する。【選択図】  図１
2020018105.tif 000002
【特許請求の範囲】
【請求項１】
制御装置が載置される制御装置用架台であって、
前記制御装置の底面形状とほぼ同じ形状で一体的又は一体の枠体から成り、
上記枠体を構成する各枠片に、上方が開口し枠体の内外を貫通する凹部を形成した、
ことを特徴とする制御装置用架台。
【請求項２】
前記各枠片に形成された前記凹部に、該凹部の上方及び枠体の内外方向を閉塞するカバーを着脱自在に設けた
ことを特徴とする請求項１に記載の制御装置用架台。
【請求項３】
既設の制御装置を新設の制御装置に取り替える制御装置取替方法であって、
既設の制御装置は制御装置用架台を介して設置床に設置されており、
前記制御装置用架台は、制御装置の底面形状とほぼ同じ形状をした枠体で、該枠体を構成する各枠片には上方に開口し枠体の内外を貫通する凹部が形成されており、
既設の制御装置に隣接しかつ仮架台を介して底面下方に空間を形成するように新設の制御装置を仮設置するステップと、
制御装置用架台の凹部を通して既設の制御装置用架台内の設置床下のケーブルを制御装置用架台外に導出するステップと、
前記制御装置用架台外に導出したケーブルを仮設置した新設制御装置の底面下方の空間を通して新設の制御装置に接続するステップと、
既設の制御装置を撤去した後、新設の制御装置を前記制御装置用架台に載置するステップと、を備える
ことを特徴とする制御装置取替方法。
【発明の詳細な説明】
【技術分野】
【０００１】
この発明は、制御盤や配電盤、リレー盤などの制御装置の取替をより確実にかつ簡単にするための制御装置用架台および制御装置取替方法に関する。
【背景技術】
【０００２】
例えば、寿命や故障などにより、既設の制御盤を新たな制御盤に取り替える（据え替える）際に、配電盤室が狭いため、あるいは各種機器や設備などが密集しているために、新たな制御盤を設置するスペースを配電盤室内に確保できない場合がある。このような場合に、既設の制御盤の設置スペースに、新たな制御盤を設置する技術が知られている（例えば、特許文献１参照）。
【０００３】
この技術は、既設の制御盤を設置床から持ち上げて（嵩上げして）、既設の制御盤と設
置床との間に空間を形成する。そして、この空間を介して、設置床下からの新ケーブルを
新たな制御盤に接続し、既設の制御盤を設置スペースから撤去した後に、新たな制御盤を
設置スペースに設置するものである。
【０００４】
また、既設制御盤のフレームに開口部を設けて、該開口部を介して新設ケーブルを通して既設制御盤の撤去後に新設制御盤を設置スペースに設置するものもある（例えば、特許文献２参照）。
【０００５】
さらに、既設制御盤が置かれるチャンネルベースの一部を既設制御盤よりも突出させて余剰開口部を形成して、この余剰開口部を介して新設ケーブルを通して既設制御盤の撤去後に新設制御盤を設置スペースに設置するものもある（例えば、特許文献３参照）。
知られている（例えば、特許文献３参照）。
【先行技術文献】
【特許文献】
【０００６】
【特許文献１】特開２００７−９７３４０号公報
【特許文献２】特開２０１４−６４３９９号公報
【特許文献３】特開２０１５−８２８７７号公報
【発明の概要】
【発明が解決しようとする課題】
【０００７】
ところで、上記の特許文献１に記載の方法では、既設の制御盤を設置床から持ち上げるため、既設の制御盤に接続されているすべてのケーブルも持ち上げられる。すなわち、持ち上げるだけの余長が、全ケーブルに必要となり、ケーブルに余長がない場合には、この方法を用いることができない。
【０００８】
さらに、既設の制御盤を設置床から持ち上げるため、既設の制御盤と天井との間に隙間を要し、持ち上げるだけの隙間がない場合には、この方法を用いることができない。そして、この方法を用いることができない場合には、既設の制御盤を別の場所に移設した後に、新たな制御盤を設置しなければならないため、多大な時間と労力、費用を要することになる。
【０００９】
また、上記特許文献２に記載の方法では、フレームに開口部を設けるため、制御盤を支えるフレームとしては脆弱となってしまい、かつ、その開口部は一箇所であるため、新設する制御装置の仮設置の位置も限定されてしまうことになり、取替作業性を非効率的にしてしまうとともに、仮設置した新設の制御盤と既設の制御盤との位置関係により、ケーブルを長くしなければならないなどの問題がある。
【００１０】
さらに、上記特許文献３に記載の方法では、チャンネルベースを制御盤よりも予め大きく形成しなければならず、配電盤室のスペースが狭いという根本的な課題に逆行してしまい、しかも、余剰開口部は既設制御装置から見て一方に偏った方向にしかできておらず、従って、新設する制御装置の仮設置の位置も限定されてしまうことになり、取替作業性を非効率にしてしまうという問題がある。
【００１１】
そこでこの発明は、設置状態や設置環境などに制限されることなく、より確実にかつ簡単に既設の制御装置（既設制御装置）を新たな制御装置（新設制御装置）に取り替えることを可能とする制御装置用架台および制御装置取替方法を提供することを目的とする。
【課題を解決するための手段】
【００１２】
請求項１の発明は、制御装置が載置される制御装置用架台であって、前記制御装置の底面形状とほぼ同じ形状で一体的又は一体の枠体から成り、上記枠体を構成する各枠片に、上方が開口し枠体の内外を貫通する凹部を形成した、ことを特徴とする。
【００１３】
請求項２の発明は、前記各枠片に形成された前記凹部に、該凹部の上方及び枠体の内外方向を閉塞するカバーを着脱自在に設けた、ことを特徴とする。
【００１４】
請求項３の発明は、既設の制御装置を新設の制御装置に取り替える制御装置取替方法であって、既設の制御装置は制御装置用架台を介して設置床に設置されており、前記制御装置用架台は、制御装置の底面形状とほぼ同じ形状をした枠体で、該枠体を構成する各枠片には上方に開口し枠体の内外を貫通する凹部が形成されており、既設の制御装置に隣接しかつ仮架台を介して底面下方に空間を形成するように新設の制御装置を仮設置するステップと、制御装置用架台の凹部を通して既設の制御装置用架台内の設置床下のケーブルを制御装置用架台外に導出するステップと、前記制御装置用架台外に導出したケーブルを仮設置した新設制御装置の底面下方の空間を通して新設の制御装置に接続するステップと、既設の制御装置を撤去した後、新設の制御装置を前記制御装置用架台に載置するステップと、を備えることを特徴とする。
【発明の効果】
【００１５】
請求項１及び請求項３の発明によれば、制御装置の底面形状とほぼ同じ形状で一体的又は一体の枠体から成り、上記枠体を構成する各枠片に、上方が開口し枠体の内外を貫通する凹部を形成したので、既設の制御装置の制御装置用架台に載置させてままで、各枠片に形成した凹部のいずれかにケーブルを通して枠体の外に導出でき、かつ、既設の制御装置に隣接して新設の制御装置を仮設置するときに、上記複数の凹部のうちから、最もケーブルの引き回しに効率的な位置になるものを選択することができる狭い配電盤室内におけるスペースを有効に活用し、制御装置の取替作業効率を高くすることができる。
【００１６】
請求項２の発明によれば、枠状をした制御装置用架台の各枠片に形成した凹部にカバーを着脱自在に設けたので、制御装置用架台内への異物の混入や小動物の侵入を防止することができる。
【図面の簡単な説明】
【００１７】
【図１】この発明の実施の形態１に係る制御装置用架台を示す斜視図である。
【図２】図３乃至図５と共に、既設の制御装置を新設の制御装置に取り替える手順を説明する斜視図で、本図は既設の制御装置の斜め前方に新設の制御装置を仮設置する様子を示すものである。
【図３】図２の状態から新設用のケーブルを凹部から導出している状態をものである。
【図４】図３の状態から新設用ケーブルを新設制御装置に接続し、既設制御装置から既設ケーブルを外した状態を示すものである。
【図５】図４の状態から既設の制御装置を撤去した状態を示すものである。
【図６】図５の状態から新設の制御装置を既設の制御装置があった場所に移動し、移設を完了した状態を示すものである。
【図７】図２と異なり、既設の制御装置の右斜め後方に新設の制御装置を仮設置した状態を示すものである。
【図８】この発明の実施の形態２に係る制御装置用架台を示す斜視図である。
【発明を実施するための形態】
【００１８】
以下、この発明を図示の実施の形態に基づいて説明する。
【００１９】
（実施の形態１）
図１は、この実施の形態１に係る制御装置用架台１を示す斜視図である。
制御装置用架台としてのチャンネルベース１は、一体的又は一体の矩形状をした枠体で、制御装置としての制御盤１０、２０の底面形状とほぼ同じ形状をしており、制御盤１０、２０を設置床Ｆに設置するときに、当該チャンネルベース１を介在させて設置床Ｆに設置される。
【００２０】
チャンネルベース１を構成する各枠片２、２、…の中央部には、上方が開口しチャンネルベース１の枠体内外を貫通する凹部３、３、…が形成されている。
【００２１】
なお、制御盤１０、２０は、１０が既設の制御盤を、２０が新設の制御盤を示し、上記チャンネルベース１は既設制御盤１０を設置床Ｆに設置するときに介在するように用いられ、既設制御盤１０を新設制御盤２０に取り替えるときに、上記チャンネルベース１はそのままにして、既設制御盤１０を撤去後、新設制御盤２０をこのチャンネルベース１に載置する。
【００２２】
既設制御盤１０と新設制御盤２０とは、同一形状（少なくとも底面形状）のキャビネットに内に各種部品、機器などが収容されており、その構造や機能においても同等のものとなっている。なお、既設の制御盤１０と新設の制御盤２０とはこの実施の形態１のようにその構造や機能が同等のものであっても良いし、また、異なったものでも良い。少なくともキャビネットの底面形状がほぼ同一形状をしているものであれば良い。
【００２３】
この実施の形態１に係る説明においては、既設制御盤１０と新設制御盤２０とは同等のものであるため、既設制御盤１０についてのみ説明する。
【００２４】
既設制御盤１０は、図１乃至図４に示すように、前面が開放された箱状のキャビネット１１内に各種の制御機器や部品（図示せず）などが収容されており、これら制御機器、部品は端子台１２を介して後述するケーブル１３と接続される（図２）。
【００２５】
ケーブル１３は、設置床Ｆの床下に設けられたケーブルピット（図示は省略する）内に配設されており、当該既設制御盤１０と他の制御装置や配電盤あるいは外部機器などの制御装置とを接続をするものである。
【００２６】
既設制御盤１０のキャビネット１１の下面には枠状の下フレーム（図示は省略する。）があり、この下フレームが前記チャンネルベース１とほぼ同じ大きさに形成されており、該キャビネット１１は下方に開口する開放部が形成されている。
【００２７】
この開放部はキャビネット１１の下面全体でも良いし、その一部であっても良く、この開放部を通じてケーブルピット内の前記ケーブル１３をキャビネット１１内に引き込み可能となっている。
【００２８】
キャビネット１１内に引き込まれたケーブル１３は前記端子台１２の所望の端子に接続されている（図２、図３）。
【００２９】
尚、図３に示すケーブル１４は、新設制御盤２０に接続するためのものであり、図２における既設制御盤１０用のケーブル１３と新設制御盤２０用のケーブル１４とを符号分けして記している。
【００３０】
次に、既設制御盤１０を新設制御盤２０に取り替え作業手順について説明する。
【００３１】
先ず、上述のように、既設制御盤１０がチャンネルベース１を介して所定の位置に設置されており、設置床Ｆの床下のケーブルピットに配設されたケーブル１３がキャビネット１１の下部の下フレームの解放部を通じてキャビネット１１内の端子台１２に接続されている。なお、図面では１ヶ所の端子台１２に３本のケーブル１３、１３、１３が接続されているものを示したが、通常、制御盤１０に収容された配電盤には数ヶ所から数十ヶ所に端子台が設けられ、その分ケーブルも多数本配線されている。
【００３２】
（ステップ１）
既設制御盤１０に隣接するようにその斜め前方に新設制御盤２０を仮設置する。この新設制御盤２０の仮設置に際しては、仮架台としての２本の角材２１、２１を設置床Ｆに並べ、該角材２１、２１を跨ぐように新設制御盤２０を仮設置する（図２）。これにより、角材２１、２１の上に仮設置された新設制御盤２０の下部には空間ができている。
【００３３】
（ステップ２）
次に、仮設置された新設制御盤２０に新たなケーブル１４、１４、１４を接続する。新たなケーブル１４、１４、１４は前記既設制御盤１０の端子台１２に接続された既設ケーブル１３、１３、１３と同様に、設置床Ｆの床下に設けられたケーブルピット内に配設されており、該ケーブル１４、１４、１４を引っ張り出して既設制御盤１０が載置されているチャンネルベース１の前側の凹部３から導出する（図３、図４）。この状態では既設制御盤１０の端子台１２に既設のケーブル１３、１３、１３が接続されたままの状態であり、制御盤１０として機能している。
【００３４】
このように、前記凹部３はケーブル１３、１３、１３を通すのに十分な大きさである必要があるが、あまりにも大きくした場合、制御盤１０を支えるものとしての強度が不足してしまうため、適切な大きさに選択されるべきである。
【００３５】
また、この実施の形態にあっては１つの枠片２に対して１つの凹部３を設け、全体として４つの凹部３、３、…を設けたが、本発明はこれに限らず、１つの枠片２に複数の凹部３、３を設けても良い。さらに凹部を設ける位置も枠片２の中央部に限らず、左右に偏った位置に設けても良いし、各枠片２、２、…ごとに異なった位置に設けるようにしても良い。凹部３、３、…の形成位置、形成個数は、導出するケーブル１３、１３、…の本数やその導出して引き回すのに最も効率が良い適切な位置を考慮したうえで決定することが望ましい。
【００３６】
（ステップ３）
チャンネルベース１の前側の凹部３から導出した新設用ケーブル１４、１４、１４をさらに伸ばして仮設置した新設制御盤２０の端子台１２に接続する（図４）。これにより、新設制御盤２０も充電状態となり制御盤２０として機能可能となる。この状態は既設制御盤１０及び新設制御盤２０がともにケーブル１３又は１４により接続された状態であり、したがって、制御盤１０及び２０がともに停電状態となることなく、新たな新設制御盤２０を設置及び接続することができる。
【００３７】
（ステップ４）
既設制御盤１０及び新設制御盤２０がともにケーブル１３又は１４により接続された状態であるので、既設制御盤１０への充電を電気的に切断し、既設制御盤１０の端子台１２に接続された既設のケーブル１３、１３、１３を取り外す。図５は、既設制御盤１０の端子台１２からケーブル１３、１３、１３を取り外し、さらに既設制御盤１０を撤去した状態を示す。
【００３８】
（ステップ５）
ステップ４の状態から新設制御盤２０をチャンネルベース１上、即ち、既設制御盤１０が設置されていた場所に移設する（図６）。このとき、新設制御盤２０の端子台１２に接続されたケーブル１４、１４、１４を引き出された状態からチャンネルベース１内の床下に設けられたケーブルピットに戻して、既設制御盤１０の新設制御盤２０への取り替え作業が完了する。引き出されたケーブル１４、１４、１４をケーブルピットに戻す際に、チャンネルベース１の凹部３の上方が解放されているため何にも邪魔されずにケーブル１４、１４、１４をケーブルピット内に戻すことができる。
【００３９】
なお、上記実施の形態に係る制御装置取替方法にあっては、すべての既設のケーブル１３、１３、１３を外すことなく、新設のケーブル１４、１４、１４をすべて接続し、その後、すべての既設のケーブル１３、１３、１３を外すようにしたが、これに限らず、充電状態をある程度確保するために最低限の既設ケーブル１３、１３、…の接続のみ残し、他の既設ケーブル１３、１３、…を外すとともに新設のケーブル１４、１４、…の最低限の接続のみにしてから制御装置の取替作業を行うようにしても良い。要は、充電状態を確保する又は停電状態を少しでも短くするために適宜選択的に行うことで制御装置の取替作業の効率化を図ることができる。
【００４０】
図７は、新設制御盤２０の仮設置の場所が上記実施の形態１に係る制御装置取替方法とは異なるものをついて説明するための図であり、新設制御２０を既設制御盤１０の斜め後方の位置に仮設置したものである。これは、配電盤室の大きさ、その内部の制御装置、機器の配置などの問題で新設制御盤２０の仮設置する場所が影響される。
【００４１】
そして、図７のように既設制御盤１０の斜め後方に新設制御盤２０を仮設置した場合は、チャンネルベース１の右側面に位置する凹部３にケーブル１４を通すことができる。すなわち、実施の形態１に係るチャンネルベース１の各枠片２、２、…のすべてに凹部３、３、…を形成したため、上述のように仮設置位置が異なった場合でも臨機応変に凹部３、３、…を選択することができる。
【００４２】
上記実施の形態１に係る制御装置取替方法にあっては、同一の制御盤の取替え作業について説明したが、本発明は同一の制御盤に限らず、機能などが相違する制御盤に取り替える場合にも適用することができる。要は、既設制御盤が設置されている場所に新設制御盤、制御装置、配電盤などが設置する場合にも適用することができる。これら制御装置としての制御盤、制御装置、配電盤、リレー盤でも良く、これらの架台となるものの大きさが同じものであればよい。
【００４３】
（実施の形態２）
図８は実施の形態２に係るチャンネルベース３０を示す斜視図である。この実施の形態２に係るチャンネルベース３０は、上記実施の形態１に係るチャンネルベース１の各凹部３、３、…にカバー３１、３１、…を着脱自在に設けたものであり、このチャンネルベース３０は前記実施の形態１で説明したチャンネルベース１とほぼ同一形状をしている。
【００４４】
チャンネルベース３０の凹部３、３、…を各別に覆うカバー３１、３１、…はほぼＬ字アングル状を呈し、その上板３０ａの大きさが前記凹部３の上面開口とほぼ同じ大きさに形成され、該上板３０ａに対して９０度折り曲げた側板３０ｂは前記上板３０ａも長く形成されていて、その両端部位に小孔３２、３２が形成されている。
【００４５】
このように形成されたカバー３１は上板３１ａが上記凹部３の上面開口に位置され、側板３０ｂが枠片２の内側から凹部３を覆うように位置される。そして、ネジ３３、３３をカバー３０の側板３０ｂに形成された小孔３２、３２を通して枠片２にネジ止めする。これによりカバー３０で凹部３の上方及び側方を覆うことができ、チャンネルベース３０内への異物の混入や小動物の侵入を防止することができる。
【００４６】
なお、図８は１つのカバー３１を１つの凹部３を覆い、１つのカバー３１を凹部３から離間した状態、他の２つの凹部３、３にはカバー３１、３１を付けていない状態を示す。
【００４７】
また、カバー３１はチャンネルベース３０の凹部３の上面開口を面一で覆うことになるので、ここに載置される制御盤１０のキャビネット１１の下フレームと面接触させることができ、載置した制御盤１０を安定させることができる。
【００４８】
なお、この実施の形態２に係るチャンネルベース３０にあってはカバー３１を枠体の内側からネジ止めするようにしたが、これに限らず、外側からネジ止めするようにしても良い。チャンネルベース３０の設置場所によるが、周囲に十分なスペースがある場合にはカバー３１は外側からネジ止めすることも容易であるが、周囲にスペースがない場合には内側からネジ止めする方が取り付け作業性を良好する。また、このようなカバー３１をチャンネルベース３０に取り付けるタイミングとしては、既設の制御盤１０を撤去させた直後に行うのが制御装置１０、２０の取替作業の効率化を図ることができる。
【００４９】
以上のように、この制御装置用架台及び制御装置取替方法によれば、既設制御盤１０を設置しているチャンネルベース１の各枠片２、２、…に凹部３、３、…が形成されているため、該凹部３にケーブル１４、１４を通すことができ、その通した状態から既設の制御盤１０を撤去すれば、ケーブル１４、１４は何にも邪魔されることはなく、よって、新設制御盤２０を移設する際にも簡単かつ確実に行うことができる。
【００５０】
しかも、凹部３、３、…は各枠片２、２、…に形成しているため、既設の制御装置１０に隣接して新設の制御装置２０を仮設置するときに、上記複数の凹部３、３、…のうちから、ケーブル１４、１４の引き回しに関し最も効率的な位置（１つとは限らず、複数の場合もある。）にある凹部３を選択することができ、狭い配電盤室内におけるスペースでも制御装置の取替作業を効率良く行うことができる。
【００５１】
さらに、チャンネルベース１は一体的又は一体に形成したものであるため、強靭であり、架台として安定的に制御盤２０を支えることができ、また、移設時に多少ぶつかっても変形などすることがないため作業性を高めることができる。尚、枠体の一体的とは、別体の枠片を溶接など接合して一体的にしても良いし、ボルトナットなどの結合手段により結合することにより一体的にしても構わない。
【００５２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態１では、凹部３を矩形の空間としたが、これに限らず、半円形型、半楕円形型であっても良い。要は枠体の内外を貫通し、上記ケーブル１３が枠体の内外に通じることができるものであれば良い。
【００５３】
さらに、上記実施の形態１においては、新設の制御盤２０に新たなケーブル１４、１４、１４を接続したが、既設の制御盤１０と新設の制御盤２０とが全く同一のものであり、かつ停電状態が許容されるならば、既設のケーブル１３、１３、１３を既設の制御盤１０から取り外した後、これらを新設の制御盤２０のケーブル１３、１３、１３としても良い。
【符号の説明】
【００５４】
Ｆ      設置床
１      チャンネルベース（制御装置用架台）
２      枠片
３      凹部
１０    既設制御盤（制御装置）
１１    キャビネット
１２    端子台
１３    既設ケーブル
１４    新設ケーブル
２０    新設制御盤（制御装置）
２１    角材（仮架台）
３０    チャンネルベース（制御装置用架台）
３１    カバー
３１ａ  上板
３１ｂ  側板
３２    小孔
３３    ネジ
【図１】
2020018105.tif 000003
【図２】
2020018105.tif 000004
【図３】
2020018105.tif 000005
【図４】
2020018105.tif 000006
【図５】
2020018105.tif 000007
【図６】
2020018105.tif 000008
【図７】
2020018105.tif 000009
【図８】
2020018105.tif 000010